(57)【特許請求の範囲】
【請求項１】
エレベータ利用者が指先で表面を押圧するボタントップと、前記ボタントップの背面側に設けられ、前記ボタントップを押圧方向に往復動自在に案内するガイド部材と、を備え、
前記ボタントップは、その背面側に押圧方向に突出した角柱状部を有すると共にその側面の先端側に突出部が設けられ、前記ガイド部材は、一つの側面が開口した中空箱形状に形成されると共にその側面に交差する一つの側面には前記開口した側面から反対側の側面に向かって直線状に切り欠かれた凹部が設けられ、この凹部は、前記角柱状部が押圧方向と直交する方向に摺動自在に係合するように形成されると共に、その周囲の部分は、前記角柱状部が前記凹部に係合した状態で前記ボタントップが押圧方向と反対方向に抜け出さないように前記突出部の移動を阻止するように構成したことを特徴とするエレベータの押しボタンスイッチ。
【請求項２】
エレベータ利用者が指先で表面を押圧するボタントップと、前記ボタントップの背面側に設けられ、前記ボタントップを押圧方向に往復動自在に案内するガイド部材と、を備え、
前記ボタントップは、その背面側に押圧方向に突出した角柱状部を有すると共にその側面の先端側に突出部が設けられ、前記ガイド部材は、角筒状の側壁と、この側壁の一つの開口縁の全周にわたって内方に突出するように形成されたロの字形の板状のフランジとを有すると共に押圧方向に一対の分割部分に分割され、前記各分割部分のフランジで前記ボタントップの角柱状部を挟み込むように前記各分割部分を組み合わせることにより前記ボタントップが前記ガイド部材に往復動自在に支持されると共に、この状態で前記ボタントップが押圧方向と反対方向に抜け出さないように前記フランジが前記突出部の移動を阻止するように構成したことを特徴とするエレベータの押しボタンスイッチ。
【請求項３】
前記ガイド部材は、前記フランジの一つの対角線に沿って一対のＬ字形の分割部分に分割されたことを特徴とする請求項２記載のエレベータの押しボタンスイッチ。
【請求項４】
エレベータ利用者が指先で表面を押圧するボタントップと、前記ボタントップの背面側に設けられ、前記ボタントップを押圧方向に往復動自在に案内するガイド部材と、を備え、
前記ボタントップの底面に押圧方向に突出した棒状部が設けられ、前記ガイド部材は中空箱形状に形成され、その一つの側面には前記ボタントップを押圧方向に往復動自在に受け入れる開口部が設けられ、前記開口部に対向する側面には前記棒状部を押圧方向に往復動自在に貫通させる貫通孔が設けられ、この貫通孔から突出した前記棒状部の先端部に抜け止め用のストッパが取り付けられたことを特徴とするエレベータの押しボタンスイッチ。
【請求項５】
前記ボタントップの表面側の周縁部が全周にわたって側方に突出しており、この周縁部により前記ガイド部材が前記ボタントップの表面側から見えないように覆い隠されるように構成したことを特徴とする請求項１乃至請求項４のいずれか一項記載の押しボタンスイッチ。
【請求項６】
前記ボタントップは透光性を有する材料で形成されると共に前記ボタントップの背面側から光を照射する発光体を備え、この発光体の光が前記ボタントップの表面の全体に向けてほぼ均一に照射されるように前記ボタントップの側面の少なくとも一部を押圧方向に対して傾斜させたことを特徴とする請求項１乃至請求項５のいずれか一項記載のエレベータの押しボタンスイッチ。
【請求項７】
互いに隣接するボタントップ間の隙間から内部構造を見えるのを防ぐと共に異物が内部に侵入するのを防ぐ塞ぎ部材を備えたことを特徴とする請求項１乃至請求項６のいずれか一項記載のエレベータの押しボタンスイッチ。
【請求項８】
互いに隣接するボタントップ間の隙間を光らせる発光体を備えたことを特徴とする請求項１乃至請求項７のいずれか一項記載のエレベータの押しボタンスイッチ。
【請求項９】
前記ボタントップの側面に押圧方向に延びる線状の溝が設けられ、前記ガイド部材に押圧方向に延びると共に前記線状の溝に摺動自在に係合する線状の突条が設けられたことを特徴とする請求項１乃至請求項８のいずれか一項記載のエレベータの押しボタンスイッチ。
【請求項１０】
前記ボタントップは、その表面側の周縁部から押圧方向に延びる側壁を有する有頂筒状に形成され、
前記側壁にバネ部材が挿入されていることを特徴とする請求項１乃至請求項９のいずれか一項記載のエレベータの押しボタンスイッチ。
【請求項１１】
前記ボタントップの側壁には押圧方向に延びる線状の切欠部が形成され、前記ガイド部材は、操作盤に取り付けるための取付部材上に押圧方向に延びるように設けられると共に互いに隣接する二つのボタントップの前記切欠部に摺動自在に係合する断面Ｉ字形のリブであることを特徴とする請求項１０記載のエレベータの押しボタンスイッチ。
【請求項１２】
前記ガイド部材は、押圧方向と反対の方向に突出した側壁を有する有底筒状のものであることを特徴とする請求項１１記載のエレベータの押しボタンスイッチ。
【請求項１３】
前記ガイド部材は、その側壁外面から側方に向けて突出した凸部を有すると共にこの凸部には押圧方向に貫通した貫通孔が設けられ、前記ボタントップは、その側壁の下端部から押圧方向に突出すると共に前記貫通孔を摺動自在に貫通する摺動体を有しており、前記貫通孔から突出した前記摺動体の先端部には前記突起が前記貫通孔から抜け出るのを阻止する拡大部が設けられたことを特徴とする請求項１２記載のエレベータの押しボタンスイッチ。
【請求項１４】
前記ボタントップの側壁の少なくとも一部を非透光性材料で形成し、前記ボタントップにおけるその他の部分を透光性材料で形成したことを特徴とする請求項１３記載のエレベータの押しボタンスイッチ。
【発明の詳細な説明】
【技術分野】
【０００１】
本発明は、エレベータの押しボタンスイッチに関する。
【背景技術】
【０００２】
図２１はエレベータのかご室を内部側から見た図、図２２は図２１の要部拡大図、図２３は図２２のＢ−Ｂ線断面図である。
【０００３】
図２１に示すように、かご室は、天井１０１、側板１０２、ドア１０３、床１０４、リターンパネル１０５等から成っており、リターンパネル１０５にはかご内操作盤１０６がネジ止めされている。
【０００４】
かご内操作盤１０６のフェースプレート１０７（図２２参照）には複数個の穴１０８（図２３参照）が設けられ、これらの穴１０８に押しボタンスイッチ２０１が表面側から挿入される。押しボタンスイッチ２０１は、ボタン枠２０２、ボタントップ２０３、ボタンケース２０４、操作子２０５、バネ２０６、スイッチ２０７、ＬＥＤ２０８等から成り、ボタンケース２０４の側面に設けられた係止爪２０９によりフェースプレート１０７に固定される。
【０００５】
エレベータの利用者が指先でボタントップ２０３の表面を押圧すると、ボタン枠２０２がガイドの機能を果たしてボタントップ２０３が図２３の下方向に向けて真っ直ぐに摺動する。ボタントップ２０３の背面には突起２１０が設けられており、この突起２１０がスイッチ２０７を押圧して作動させる。
【０００６】
ボタントップ２０３から指を離すと、操作子２０５を介してバネ２０６の弾発力によりボタントップ２０３は押圧前の位置に復帰する。ボタン枠２０２には爪２１１が設けられており、この爪２１１がボタンケース２０４に設けられた切欠部２１２に係合することによりボタン枠２０２はボタンケース２０４に固定されている。
【０００７】
ボタン枠２０２がボタントップ２０３の抜け止めのストッパの機能を果たし、指をボタントップ２０３から離したときにボタントップ２０３が飛び出すのを防止している。ボタントップ２０３は透光性を有する材料で形成され、スイッチ２０７が押圧されたか否かの確認用のＬＥＤ２０８の光はボタントップ２０３を透過してその表面を光らせる。
【０００８】
この押しボタンスイッチ２０１におけるフェースプレート１０７の穴１０８から外に出た部分の横方向と縦方向の寸法は、それぞれフェースプレート１０７の穴１０８の同じ方向の寸法よりも大きく、ボタンケース２０４と穴１０８の間の隙間を隠している。
【０００９】
このようなストローク式のボタンでは、ボタントップ２０３の周囲にボタン枠２０２を設けないと、ボタントップ２０３が真っ直ぐに摺動せず、スイッチ２０７が押せなかったり、ボタントップ２０３が他の部材に引っ掛かってスイッチ２０７が押されたままの状態になることがある。また、ボタン枠２０２が無いと、ボタントップ２０３の抜け止めのストッパが無くなるので、ボタントップ２０３が押圧前の位置に復帰する際に飛び出してしまう可能性がある。
【００１０】
しかしながら、ボタン枠２０２を設けると、隣接するボタントップ２０３間のスペースが大きくなるため、ボタントップ２０３を大きくした場合にボタンスイッチの配置スペースが大きくなり、階床数が多い場合に対応できないという問題点が有った。また、意匠的にも制約が大きくなるという問題点も有った。
【００１１】
なお、静電タッチ式のボタンスイッチでは、ボタントップ表面に導電体を設け、その導電体に触れると電気的にスイッチが入るようにしているので、ボタントップの摺動が無く、ボタン枠を必要としないため、上述したような問題点が生じない。したがって、複数個のボタンスイッチの密着配置が可能となっている。
【００１２】
ボタン枠の無いボタンスイッチは、すっきりとした外観で、意匠的にも優れているという利点も有るが、ストローク式の押しボタンスイッチでは、従来、そのようなボタン枠の無い構造が提案されていなかった。
【発明の開示】
【発明が解決しようとする課題】
【００１３】
本発明は、上述した問題点に鑑みてなされたものであり、ボタン枠が無く、複数個の密着配置が可能であり、小さい配置スペースで大きなボタントップにすることができ、且つ意匠的にも優れたストローク式のエレベータの押しボタンスイッチを提供することを目的としている。
【課題を解決するための手段】
【００１４】
上記目的を達成するために、本発明は、エレベータ利用者が指先で表面を押圧するボタントップと、前記ボタントップの背面側に設けられ、前記ボタントップを押圧方向に往復動自在に案内するガイド部材と、を備え、前記ボタントップは、その背面側に押圧方向に突出した角柱状部を有すると共にその側面の先端側に突出部が設けられ、前記ガイド部材は、一つの側面が開口した中空箱形状に形成されると共にその側面に交差する一つの側面には前記開口した側面から反対側の側面に向かって直線状に切り欠かれた凹部が設けられ、この凹部は、前記角柱状部が押圧方向と直交する方向に摺動自在に係合するように形成されると共に、その周囲の部分は、前記角柱状部が前記凹部に係合した状態で前記ボタントップが押圧方向と反対方向に抜け出さないように前記突出部の移動を阻止するように構成したことを特徴とするエレベータの押しボタンスイッチである。
【発明の効果】
【００１５】
本発明のエレベータの押しボタンスイッチは、ボタントップ周囲にボタン枠を必要としないため、複数個の密着配置が可能であり、小さい配置スペースで大きなボタントップにすることができる。また、ボタン枠が無いことで外観がすっきりとし、意匠的にも優れたものとすることができる。
【発明を実施するための最良の形態】
【００１６】
以下、本発明の一実施形態を図面に基づいて説明する。図１は本発明の一実施形態である押しボタンスイッチを備えた操作盤の正面図、図２は図１のＡ−Ａ線断面図であり、第１の実施形態の構造を示す図である。
【００１７】
図１に示すかご内操作盤１は、かご室内のリターンパネルにネジ止めされている。かご内操作盤１のフェースプレート２には穴３（図２参照）が設けられ、この穴３に複数個の押しボタンスイッチ８が挿入されている。図２に示すように、これらの押しボタンスイッチ８は、取付部材４に背面側からネジ５で固定され、この取付部材４はフェースプレート２の背面側に溶接固定されたスタッド６にナット７により固定されている。
【００１８】
押しボタンスイッチ８は、ボタントップ９、そのガイド部材としてのボタンケース１０、バネ１１、スイッチ１２、発光体としてのＬＥＤ１３等から成る。ボタントップ９は透光性の有る材料で形成され、表面側の周縁部が全周にわたって側方に突出した状態となっており、表面側の横方向の寸法Ｗ１が背面側の横方向の寸法Ｗ１’よりも大きく、表面側の縦方向の寸法（図示せず）が背面側の縦方向の寸法よりも大きくなっている。
【００１９】
ボタントップ９の背面側の両側面先端部付近には側方に向けて突出した爪が１４が形成されている。これらの爪１４は、ボタントップ９の背面側に配置されたボタンケース１０の側壁内面に形成された溝状の切欠部１５に摺動自在に係合しており、これによってボタントップ９が押圧方向に往復動自在に案内されている。
【００２０】
エレベータの利用者が指先でボタントップ９の表面を押圧すると、ボタンケース１０がガイドの機能を果たしてボタントップ９が図２の下方向に向けて真っ直ぐに摺動する。ボタントップ９の背面には突起１６が設けられており、この突起１６がスイッチ１２を押圧して作動させる。
【００２１】
ボタントップ９から指を離すと、バネ１１の弾発力によりボタントップ９は押圧前の位置に復帰する。このとき、ボタントップ９に設けられた爪１４がボタンケース１０に設けられた切欠部１５の上端に当接し、これがボタントップ９の抜け止めのストッパの機能を果たすので、指をボタントップ９から離したときにボタントップ９が飛び出すことはない。
【００２２】
ボタントップ９は透光性を有する材料で形成され、スイッチ１２が押圧されたか否かの確認用のＬＥＤ１３の光はボタントップ９を透過してボタントップ９の表面を光らせる。ボタントップ９の表面側は背面側よりも大きいため、ボタンケース１０がボタントップ９の表面側から見えないように覆い隠されている。
【００２３】
このような構成の押しボタンスイッチは、ボタントップ９の周囲にボタン枠が無いため、複数個の密着配置が可能であり、小さい配置スペースでボタントップ９を大きくすることができる。また、ボタン枠が無いことで、外観がすっきりとし、且つボタンケース１０が表面から見えないため、意匠的にも優れたものとなる。さらに、ボタンケース１０にボタントップ９のガイドと抜け止めのストッパの機能を持たせているので、操作時にボタントップ９が左右にぶれて隣りのボタンと接触したり、ボタントップ９が押圧前の位置に復帰する際に飛び出したりすることはない。
【００２４】
次に、本発明の第２の実施形態を説明する。図３は本発明の第２の実施形態の要部分解斜視図である。なお、以下の各実施形態において、先に説明した実施形態と同一又は類似の部分には同一の符号を用いており、重複する説明は省略してある。
【００２５】
本実施形態では、ボタントップ９が、矩形の板状部１７と、この板状部１７の背面から押圧方向に突出した円柱状部１８とから成っており、円柱状部１８の側面の先端部に近い部位に直方体状の突起１９が設けられている。また、ボタンケース１０は、有底角筒状の筐体２０と、その開口面に取り付けられた板状の蓋２１とから成っている。
【００２６】
この蓋２１は、円形の開口部２２と、その周縁部の一部から径外方向に突出した切欠部２３とを有している。開口部２２は、ボタントップ９の円柱状部１８を往復動自在に貫通させることができるように形成され、切欠部２３は、突起１９を貫通させることができるように形成されている。
【００２７】
ボタントップ９の突起１９を切欠部２３に合わせてボタントップ９をボタンケース１０に対して押圧方向に押し込むと、突起１９が切欠部２３を通って筐体２０内に位置した状態となるので、その状態でボタントップ９を円柱状部１８の中心線まわりに回転させる。
【００２８】
これによって、突起１９が切欠部２３と重なり合わなくなるため、ボタントップ９を押圧方向と反対の方向に移動させると突起１９が蓋２１の裏面に当接してボタントップ９がボタンケース１０から抜け出るのが阻止される。すなわち、ボタントップ９は、ボタンケース１０に対して、押圧方向に往復動自在で且つ押圧方向と反対方向に抜け出ないように組み付けられた状態となっている。
【００２９】
次に、本発明の第３の実施形態を説明する。図４は本発明の第３の実施形態の要部分解斜視図である。
【００３０】
本実施形態では、ボタントップ９とボタンケース１０の構造は第２の実施形態と同様であり、第２の実施形態と異なる点は、ボタントップ９のボタンケース１０からの抜け止めとしてリング２４を用いている点である。
【００３１】
このリング２４は一部に切除部２５を設けており、その切除部２５の円周方向の幅はボタントップ９の突起１９の横幅よりわずかに大きくなっている。また、リング２４の内径はボタントップ９の円柱状部１８の外周部に摺動自在に嵌合するように設定されている。
【００３２】
ボタントップ９の突起１９をボタンケース１０の切欠部２３に挿入し、ボタントップ９の板状部１７の裏面がボタンケース１０の蓋体２１の表面に当接するまでボタントップ９を押し込むと、突起１９が切欠部２３を乗り越えて筐体２０内に位置した状態となる。
【００３３】
その状態で、リング２４の切欠部２５をボタントップ９の円柱状部１８の突起１９に合わせてリング２４を円柱状部１８の外周部に装着し、リング１４を板状部１７に向かって突起１９を越える位置まで摺動させる。そして、リング２４を回転させると、切欠部２５と突起１９が押圧方向に重なり合わなくなるため、リング２４が円柱状部１８から脱落しなくなる。
【００３４】
この状態でボタントップ９を押圧方向と反対の方向に移動させるとリング２４が蓋体２１の裏面に当接してボタントップ９がボタンケース１０から抜け出るのが阻止される。このように、ボタントップ９は、ボタンケース１０に対して、押圧方向に往復動自在で且つ押圧方向と反対方向に抜け出ないように組み付けられた状態となっている。
【００３５】
次に、本発明の第４の実施形態を説明する。図５は本発明の第４の実施形態の要部分解斜視図である。
【００３６】
本実施形態では、ボタントップ９の形状は第３の実施形態と同様であり、ボタンケース１０は、ボタントップ９の円柱状部１８を軸方向に同軸状に受け入れることができる大きさの円筒状に形成されると共に、その側壁には一方の開口縁から切りかかれたＺ字状の係合切欠部２６が設けられている。
【００３７】
この係合切欠部２６は、ボタンケース１０の一方の開口縁から軸方向に延びる第１の部分２７と、その先端に連続すると共に周方向に延びる第２の部分２８と、その先端に連続すると共に軸方向に延びる第３の部分２９とから成っており、ボタントップ９の突起１９が摺動自在に係合するように形成されている。
【００３８】
ボタントップ９の突起１９をボタンケース１０の係合切欠部２６の第１の部分２７に合わせてボタントップ９をボタンケース１０に押し込み、突起１９が第２の部分２８に到達した状態でボタントップ９を円柱状部１８の中心線まわりに回転させて突起１９を第３の部分２９内に位置させるようにする。
【００３９】
この状態でボタントップ９に対して押圧方向に力を与えると、突起１９が第３の部分２９に沿って摺動するためボタントップ９が押圧方向に移動する。なお、ボタントップ９が押圧方向と反対の方向に移動すると突起１９が第３の部分２９の上端に当接するため、ボタントップ９がボタンケース１０から抜け出るのが阻止される。
【００４０】
このように、ボタントップ９は、ボタンケース１０に対して押圧方向に往復動自在で且つ押圧方向と反対方向に抜け出ないように組み付けられた状態となっている。また、突起１９と係合切欠部２６が摺動自在に係合することで、ボタントップ９が押圧方向に往復動する際にがたつくことがない。
【００４１】
次に、本発明の第５の実施形態を説明する。図６は本発明の第５の実施形態の要部分解斜視図である。
【００４２】
本実施形態では、ボタントップ９が背面側に押圧方向に突出した角柱状部３０を有すると共にその側面の先端側に全周にわたって側方に突出した突出部３１が設けられている。また、ボタンケース１０は中空箱形状に形成されると共に一つの側面が開口し、この側面に交差する一つの側面には矩形状の凹部３２が設けられている。この凹部３２は、開口した側面から反対側の側面に向かって直線状に切り欠かれ、その凹部３２の周囲にはＵ字状の突片３３を形成している。
【００４３】
角柱状部３０、突出部３１、及び凹部３２の寸法は、角柱状部３０が凹部３２に対して押圧方向と直交する矢印Ｃ方向に摺動自在に係合し、且つボタントップ９が押圧方向に往復動自在であり、さらに、ボタントップ９を押圧方向と反対の方向に移動させたときには突出部３１が突片３３に当接してボタントップ９がボタンケース１０から抜け出るのを阻止するように設定されている。また、凹部３２と角柱状部３０が摺動自在に係合することで、ボタントップ９が押圧方向に往復動する際にがたつくことがない。
【００４４】
次に、本発明の第６の実施形態を説明する。図７は本発明の第６の実施形態の要部分解斜視図である。
【００４５】
本実施形態では、ボタントップ９は第５の実施形態と同様に構成されている。そして、ボタンケース１０は、角筒状の側壁３５と、この側壁３５の一つの開口縁の全周にわたって内方に直角に突出するように形成されたロの字形の板状のフランジ３６とを有し、図７（ａ）に示す例では、ボタンケース１０が、フランジ３６の一つの対角線に沿って押圧方向に一対のＬ字形の分割部分３７に分割された構成となっている。
【００４６】
これらの分割部分３７とボタントップ９の角柱状部３０の寸法は、各分割部分３７のフランジ３６でボタントップ９の角柱状部３０を挟み込んだ状態で各分割部分３７を組み合わせて箱形状のボタンケース１０にすることにより、ボタントップ９が押圧方向に往復動自在に支持されると共に、ボタントップ９を押圧方向と反対の方向に移動させたときには突出部３１がフランジ３６に当接してボタントップ９がボタンケース１０から抜け出るのが阻止されるように設定されている。また、フランジ３６と角柱状部３０が摺動自在に係合することで、ボタントップ９が押圧方向に往復動する際にがたつくことがない。
【００４７】
なお、図７（ｂ）に示す如く、ボタンケース１０は、各分割部分３７がコの字形になるように分割してもよい。要するに、ボタンケース１０が押圧方向に分割されていれば、各分割部分３７がいかなる形状であっても同様の効果を得ることができる。
【００４８】
次に、本発明の第７の実施形態を説明する。図８は本発明の第７の実施形態の要部分解斜視図である。
【００４９】
本実施形態では、ボタントップ９が背面側に押圧方向に突出した角柱状部３８を有すると共にその底面の中央部に下方に向けて突出した円柱状の棒状部３９が設けられている。また、ボタンケース１０は中空箱形状に形成されると共に、その一つの側面には矩形状の開口部４０が形成されており、この開口部４０の周囲にはロの字状のフランジ４１が形成されている。この開口部４０は、ボタントップ９の角柱状部３８が押圧方向に摺動自在に係合するように形成されている。
【００５０】
また、ボタンケース１０の開口部３２に対向する側面には円形の貫通孔４２が形成されており、この貫通孔４２は、ボタントップ９の棒状部３９が押圧方向に摺動自在に貫通するように形成されている。この貫通孔４２から下方に突出した棒状部３９の先端部にはリング状のストッパ４３が取り付けられ、これによって、ボタントップ９が押圧方向と反対の方向に移動したときにストッパ４３がボタンケース１０の外面に当接してボタントップ９の移動を阻止し、ボタントップ９がボタンケース１０から抜け出るのが阻止される。
【００５１】
角柱状部３８と開口部４０の寸法は、これらが摺動自在に係合してボタントップ９が押圧方向に往復動する際にがたつくことがないようにしている。
【００５２】
次に、本発明の第８の実施形態を説明する。図９は本発明の第８の実施形態の要部断面図である。
【００５３】
本実施形態では、ボタントップ９は透光性を有する材料で形成され、このボタントップの両側面の一部が押圧方向に対して所定角度傾斜した状態となっている。ボタントップ９の背面側の先端部には両側に突出した爪４４が設けられており、この爪４４の両端部にはそれぞれ操作子４５が係合固定されている。各操作子４５の下端とボタンケース１０の間にはバネ１１が設けられている。
【００５４】
ボタンケース１０は有底角筒状に形成され、押圧方向と反対方向に突出する角筒状の側壁４６を有している。この側壁４６には押圧方向に延びる長孔４７が設けられ、各長孔４７には複数本のイモネジ４８が挿入されてその一端が操作子４５にねじ込まれている。これらのイモネジ４８は長孔４７に摺動自在に係合しており、これによってボタントップ９が押圧方向に往復動自在に案内されている。
【００５５】
ボタントップ９によりスイッチ１２が押圧されて作動するとＬＥＤ１３が発光し、その光はボタントップ９を透過してその表面側を光らせるが、ボタントップの両側面が傾斜しているため、ここで光が屈折してボタントップ９の表面の全体に向けてほぼ均一に照射される。したがって、ボタントップ９の表面を全面にわたってむらなく光らせることができる。なお、この斜面に光拡散加工（例えば梨地加工）を施すことで、光むらをより少なくすることができる。また、ボタンケース１０の側壁４６と操作子４５の先端部は、ボタントップ９の側面の斜面と近接すると共にこの斜面と平行になるように傾斜しており、光漏れや内部に異物が侵入するのを防いでいる。
【００５６】
次に、本発明の第９の実施形態を説明する。図１０は本発明の第９の実施形態の要部断面図、図１１は第９の実施形態の要部斜視図である。
【００５７】
本実施形態では、ボタントップ９とボタンケース１０の間にプレート状の塞ぎ部材５３を設けている。この塞ぎ部材５３は、ボタントップ９の背面側を往復動自在に貫通させる貫通孔５４を複数個有している。
【００５８】
ボタントップ９は背面側の先端部に側方に突出した爪５５を有している。ボタンケース１０は、有底角筒状に形成されており、その側壁５６の内面には、爪５５が摺動自在に係合する溝５７が押圧方向に延びるように形成されている。
【００５９】
塞ぎ部材５３は、隣接するボタントップ９間の隙間から内部構造を見えるのを防ぐと共に異物が内部に侵入するのを防いでいる。これにより、意匠的に優れたものとなると共に、電気回路の短絡や押しボタンスイッチの動作不良を防ぐことができるため信頼性が向上する。
【００６０】
次に、本発明の第１０の実施形態を説明する。図１２は本発明の第１０の実施形態の要部断面図である。
【００６１】
本実施形態では、隣接するボタンケース１０の底部間にＬＥＤ５８を設けると共に塞ぎ部材５３を透光性材料で形成し、隣接するボタントップ９間の隙間を光らせるようにしている。これにより、意匠的に優れたものとすることができる。
【００６２】
次に、本発明の第１１の実施形態を説明する。図１３は本発明の第１１の実施形態の要部断面図である。
【００６３】
本実施形態では、ＬＥＤ５８を塞ぎ部材５３上に設けるようにしている。この場合も、第１０の実施形態と同様の効果を得ることができる。
【００６４】
次に、本発明の第１２の実施形態を説明する。図１４は本発明の第１２の実施形態の要部断面図である。
【００６５】
本実施形態では、ボタントップ９の外側面に押圧方向に延びる第１係合部としての線状の溝５９が設けられ、ボタンケース１０の内側面に押圧方向に延びると共に溝５９に摺動自在に係合する第２係合部としての線状の突条６０が設けられている。
【００６６】
このような構成によれば、溝５９と突条６０がボタントップ９のガイドの役割を果たすため、ボタントップ９の摺動時のがたつきが低減し、操作性が良好となる。
【００６７】
次に、本発明の第１３の実施形態を説明する。図１５は本発明の第１３の実施形態の要部断面図、図１６は第１３の実施形態の要部分解斜視図である。
【００６８】
本実施形態では、ボタントップ９は、その表面側の周縁部から押圧方向に延びる側壁６１を有する有頂角筒状に形成されている。そして、取付部材４の底面側からガイド部材としての複数本のネジ６２が上方に向けて貫通し、その先端部がボタントップ９の側壁６１の下端部にねじ込まれている。そして、ボタントップ９を押圧方向と反対方向に付勢するコイル状のバネ１１がネジ６２に同軸状に装着されている。
【００６９】
このような構成によれば、スイッチ１２やＬＥＤ１３がボタントップ９の内側に収まり、表面側から見えないため、外観が向上する。また、互いに隣接するボタントップ９同士が広い面積の側壁６１で対向しており、これらの間に引っ掛かりが生じにくいため、互いに接触することがあっても、押圧しようとするボタントップ９と隣接するボタントップ９も同時に押してしまう等の問題が生じにくい。
【００７０】
さらに、ボタントップ９の側壁６１がＬＥＤ１３の導光部材として機能し、ボタントップ９の表面の端まで光が到達し易いため、光むらが少なくなる。
【００７１】
次に、本発明の第１４の実施形態を説明する。図１７は本発明の第１４の実施形態の平面断面図である。
【００７２】
本実施形態では、ボタントップ９の側壁６１に押圧方向に延びる線状の切欠部６３が設けられている。また、取付部材（図示せず）上には、ボタントップ９の押圧方向に延びると共に互いに隣接する二つのボタントップ９の切欠部６３に摺動自在に係合するガイド部材としての断面Ｉ字形のリブ６４が設けてある。
【００７３】
このリブ６４はボタントップ９を押圧方向にガイドするだけでなく、ボタントップ９を押圧方向と直交する方向に位置決めする機能も有するため、隣接するボタントップ９間の隙間を所定の大きさに保つことができ、外観が向上する。
【００７４】
次に、本発明の第１５の実施形態を説明する。図１８は本発明の第１５の実施形態の要部断面図である。
【００７５】
本実施形態では、ボタンケース１０が有底筒状に形成され、押圧方向と反対の方向に延びる筒状の側壁６５を有しており、その側壁６５の外面には押圧方向に延びる溝６６が設けられている。ボタントップ１０の側壁６１の先端部には内方に屈曲した爪６７が設けられ、この爪６７は溝６６に摺動自在に係合している。
【００７６】
このように構成することで、ＬＥＤ１３の光が隣接する押しボタンスイッチへ漏れるのを防ぐことができる。また、側壁６５がボタントップ９を押圧方向にガイドして摺動時のがたつきを低減するという効果も有る。
【００７７】
次に、本発明の第１６の実施形態を説明する。図１９は本発明の第１６の実施形態の要部断面図である。
【００７８】
本実施形態では、ボタンケース１０の側壁６５に側方に向けて突出した凸部６８が設けられ、この凸部６８には押圧方向に貫通した貫通孔６９が設けられている。そして、この貫通孔６９には下方から摺動体としてのネジ７０が摺動自在に貫通しており、その先端部はボタントップ９の側壁６１の先端部にねじ込まれている。なお、拡大部としてのネジ７０の頭部７１は、ネジ７０が貫通孔６９から抜け出るのを阻止する。凸部６８と側壁６１の間においてバネ１１がネジ７０に同軸状に装着されている。
【００７９】
このような構成によれば、第１５の実施形態の効果に加えて、ボタントップ９がボタンケース１０から外れにくいという効果を得ることができる。
【００８０】
次に、本発明の第１７の実施形態を説明する。図２０は本発明の第１７の実施形態の要部断面図である。
【００８１】
本実施形態では、ボタントップ９の側壁の一部を非透光性材料７２で形成し、ボタントップ９のその他の部分を透光性材料で形成している。
【００８２】
このような構成によれば、ＬＥＤ１３の光が隣接する押しボタンスイッチへ漏れるのをより確実に防ぐことができる。
【００８３】
なお、上記実施形態では、本発明を乗りかご側の操作盤に設けられる押しボタンスイッチに適用した場合について説明したが、本発明をホール側の操作盤に設けられる押しボタンスイッチに適用することもできる。
【００８４】
また、ボタントップの表面形状は矩形状に限定されるものではなく、その他の形状であってもよい。
【００８５】
その他にも、本発明の要旨を逸脱しない範囲で上記実施形態に種々の改変を施すことができる。
【図面の簡単な説明】
【００８６】
【図１】本発明の一実施形態である押しボタンスイッチを備えた操作盤の正面図。
【図２】図１のＡ−Ａ線断面図であり、本発明の第１の実施形態の構造を示す図。
【図３】本発明の第２の実施形態の要部分解斜視図。
【図４】本発明の第３の実施形態の要部分解斜視図。
【図５】本発明の第４の実施形態の要部分解斜視図。
【図６】本発明の第５の実施形態の要部分解斜視図。
【図７】本発明の第６の実施形態の要部分解斜視図。
【図８】本発明の第７の実施形態の要部分解斜視図。
【図９】本発明の第８の実施形態の要部断面図。
【図１０】本発明の第９の実施形態の要部断面図。
【図１１】本発明の第９の実施形態の要部斜視図。
【図１２】本発明の第１０の実施形態の要部断面図。
【図１３】本発明の第１１の実施形態の要部断面図。
【図１４】本発明の第１２の実施形態の要部断面図。
【図１５】本発明の第１３の実施形態の要部断面図。
【図１６】本発明の第１３の実施形態の要部分解斜視図。
【図１７】本発明の第１４の実施形態の平面断面図。
【図１８】本発明の第１５の実施形態の要部断面図。
【図１９】本発明の第１６の実施形態の要部断面図。
【図２０】本発明の第１７の実施形態の要部断面図。
【図２１】エレベータのかご室を内部側から見た図。
【図２２】図２１の要部拡大図。
【図２３】図２２のＢ−Ｂ線断面図。
【符号の説明】
【００８７】
１  操作盤
４  取付部材
８  押しボタンスイッチ
９  ボタントップ
１０  ボタンケース（ガイド部材）
１３  ＬＥＤ（発光体）
１８  円柱状部
１９  突起
２０  筐体
２１  蓋
２４  リング
２６  係合切欠部
３０  角柱状部
３１  突出部
３２  凹部
３６  フランジ
３９  棒状部
４３  ストッパ
５３  塞ぎ部材
５８  ＬＥＤ（発光体）
５９  溝（第１係合部）
６０  突条（第２係合部）
６２  ネジ（ガイド部材）
６４  リブ（ガイド部材）
６８  凸部
７０  ネジ（摺動体）
７１  頭部（拡大部）
【図１】
0004825476.tif 000002
【図２】
0004825476.tif 000003
【図３】
0004825476.tif 000004
【図４】
0004825476.tif 000005
【図５】
0004825476.tif 000006
【図６】
0004825476.tif 000007
【図７】
0004825476.tif 000008
【図８】
0004825476.tif 000009
【図９】
0004825476.tif 000010
【図１０】
0004825476.tif 000011
【図１１】
0004825476.tif 000012
【図１２】
0004825476.tif 000013
【図１３】
0004825476.tif 000014
【図１４】
0004825476.tif 000015
【図１５】
0004825476.tif 000016
【図１６】
0004825476.tif 000017
【図１７】
0004825476.tif 000018
【図１８】
0004825476.tif 000019
【図１９】
0004825476.tif 000020
【図２０】
0004825476.tif 000021
【図２１】
0004825476.tif 000022
【図２２】
0004825476.tif 000023
【図２３】
0004825476.tif 000024